(57)【特許請求の範囲】
【請求項１】
界面重縮合により得られた、架橋されたポリウレタン、ポリウレア及び／又はポリウレタン／ポリウレアタイプのポリマーマトリックス及び顔料からなるマイクロカプセルの形態にあり、前記マイクロカプセルがポリマーマトリックスの重量に対して１０重量％〜８０重量％の顔料を含むことを特徴とする複合染料。
【請求項２】
顔料が有機顔料であることを特徴とする、請求項１に記載の複合染料。
【請求項３】
マイクロカプセルがリザーバータイプであることを特徴とする、請求項１〜２のいずれか１項に記載の複合染料。
【請求項４】
マイクロカプセルがマトリックスタイプであることを特徴とする、請求項１〜３のいずれか１項に記載の複合染料。
【請求項５】
前記マイクロカプセルのポリマーマトリックスがポリウレタン／ポリウレアタイプであることを特徴とする、請求項１〜４のいずれか１項に記載の複合染料。
【請求項６】
ポリマーマトリックスが、少なくとも２つの化合物、すなわち一方がイソシアネートタイプであり他方がアルコール及び／又はアミンタイプである化合物を反応させることにより得られたものであり、これら２つの化合物の少なくとも１つは、少なくとも３つの同じか又は異なる官能基を有し、該官能基は、イソシアネートのタイプについてはイソシアネート基から、そしてアルコール及び／又はアミンのタイプについてはヒドロキシル基及びアミン基から選択されることを特徴とする、請求項１〜５のいずれか１項に記載の複合染料。
【請求項７】
イソシアネートタイプの化合物が、ジフェニルメタンジイソシアネートモノマー及びジフェニルメタンジイソシアネートオリゴマー（ＭＤＩポリマー）の混合物、トリレンジイソシアネート（ＴＤＩ）、及びそれらの混合物、４，４´−ジフェニルメタンジイソシアネート（４，４´−ＭＤＩ）又はイソホロンジイソシアネート（ＩＰＤＩ）から選択されるところの、請求項６に記載の複合染料。
【請求項８】
アルコールタイプの化合物が、ジオール、トリオール、ポリオール、又はポリエチレングリコールとジエチレングリコールの混合物から選択されるところの、請求項６又は７のいずれか１項に記載の複合染料。
【請求項９】
アミノアルコールタイプの化合物がエタノールアミン及びトリエタノールアミンから選択されるところの、請求項６〜８のいずれか１項に記載の複合染料。
【請求項１０】
顔料が、酸化チタン、酸化クロム、Ｄ＆ＣレッドＮｏ．７、Ｄ＆ＣレッドＮｏ．２２レーキ、Ｄ＆ＣイエローＮｏ．６レーキ及びＦＤ＆ＣイエローＮｏ．６レーキ、及びＦＤ＆ＣブルーＮｏ．１レーキから選択されるところの、請求項１〜９のいずれか１項に記載の複合染料。
【請求項１１】
界面重縮合により得られた、架橋されたポリウレタン、ポリウレア及び／又はポリウレタン／ポリウレアタイプのポリマーマトリックス及び顔料からなるマイクロカプセルの形態の少なくとも１の複合染料を含むことを特徴とする、ケラチン物質をメイクアップする及び／又はケアするための化粧料組成物及び／又は皮膚科学組成物。
【請求項１２】
前記複合染料が請求項１〜１０に記載されたとおりであるところの、請求項１１に記載の組成物。
【請求項１３】
毛髪染料組成物であることを特徴とする、請求項１１〜１２のいずれか１項に記載の組成物。
【請求項１４】
メイクアップ組成物であることを特徴とする、請求項１１〜１２のいずれか１項に記載の組成物。
【請求項１５】
請求項１１〜１４のいずれか１項に記載の化粧料組成物をケラチン物質へ施与することを含む、ケラチン物質を処置する化粧的方法。
【発明の詳細な説明】
【技術分野】
【０００１】
本発明は、ポリマーマトリックスからなり、顔料を含んでいるマイクロカプセルの形の複合染料に関する。
【０００２】
一般的に、化粧料組成物の目的は、場合によってケア効果と組み合わされていてもよい審美的効果を、該化粧料組成物が意図された施与の部位に与えることである。この審美的効果は、多くの場合、該化粧料組成物中に存在する着色物質により与えられる着色効果を特徴とする。
【０００３】
着色効果を生み出すためにより特に意図されている組成物の例として、挙げられ得る例は、口紅、ファンデーション、アイシャドウ、メークアップルージュ、アイペンシル、及びマスカラを含む。
【発明の開示】
【発明が解決しようとする課題】
【０００４】
言うまでも無く、ケラチン物質をメークアップする及び／又はケアすることに意図されている化粧料組成物及び／又は皮膚科学組成物の製造に使用され得る着色物質は、無害性の観点から設置された基準を満たすべきである。すなわち、いくつかの国では、メークアップ目的のための使用が許可されている顔料を特に挙げているリストがある。
【０００５】
これらのリストは、多くの点で制限的である。第一に、制限された数の顔料のみを許可することにより、幅広い範囲の色を手にいれることができない。第二に、これらのリストは関心のある国によって異なり、従って、少数の共通の顔料のみを有する。従って、ケラチン物質をメークアップするための広い経済的な領域に渡って使用され得る顔料の数は相対的に制限される。
【０００６】
すなわち、所与の顔料、特に広い経済地域に認められている顔料から手に入る色範囲（colorimetric range）を広げる必要性がある。
【０００７】
さらに、ある種の顔料は流れる傾向を有することが公知である。この流れは、例えば口唇に爪あと(特に口紅の場合)又は爪に爪あと（特にネイルマニキュアの場合）をもたらし得、すなわち得られるメークアップの質の低下により反映される。標準的な被覆技術（例えばシリコーン又はパーフルオロアルキルに基づく被覆）は、不幸なことに、観察される流れを制限することを可能にしない。
【０００８】
すなわち、水の中での顔料の流れを制限する必要もある。
【０００９】
本発明は、これらの２つの側面を解決することに特に向けられている。
【００１０】
本発明者らは、驚いたことに、界面の重縮合−架橋により、顔料をカプセル化することにより、顔料が取り込まれている有機粉末であって、第一に、遊離の形態の同じ顔料と比較して新規である比色性へのアクセスを得ること、第二に、流れのいかなる問題をも克服すること、を可能にする有機粉末が得られることができることを発見した。
【００１１】
マイクロカプセル技術は、植物保護産業又はノーカーボン紙産業においてしばしば使用される。
【００１２】
すなわち、英国特許出願公開第１０９１１４１号は、界面重合により液体をカプセル化し、特にポリアミド、ポリエステル、ポリウレア、ポリカーボネート、又はポリアミド−ポリウレアタイプの架橋されたポリマーマトリックスから形成されるマイクロカプセルの形成をもたらす方法を開示する。
【００１３】
米国特許第６７５３０８３号は、種々の物質、特に触媒を、界面重合により得られる、架橋された又は架橋されていないポリマーマトリックスの中にカプセル化するのに有用である組成物を記載する。
【００１４】
最後に、米国特許第６８９０６５３号及び国際公開第０３／１０１６０６号もまた、特に放出をコントロールする目的のために、ポリウレタン及び／又はポリウレアタイプのポリマーマトリックスから形成されたマイクロカプセル中に水溶性有機物質、例えば、フェロモンをカプセル化することを開示している。
【００１５】
しかし、これらの文献のいずれも、特に化粧料の分野での顔料のカプセル化に、特に、単一の顔料から得られる色範囲を広げる目的のために、そのような技術を使用していない。
【課題を解決するための手段】
【００１６】
すなわち、本発明の第一の側面に従うと、本発明は、架橋されたポリウレタン、ポリウレア及び／又はポリウレタン／ポリウレアタイプの界面重縮合により得られるポリマーマトリックスと顔料とからなる、マイクロカプセルの形態にあることを特徴とする複合染料に関する。
【００１７】
本発明の別の側面に従うと、本発明は、特にケラチン物質をメークアップする及び／又はケアするための化粧料及び／又は皮膚科学組成物であって、本発明に従う少なくとも１の複合染料を含むことを特徴とする組成物に関する。
【００１８】
本発明のさらに別の側面に従うと、本発明は、ケラチン物質、特に体又は顔の皮膚、爪、毛髪、及び／又は睫を処置する化粧方法であって、上で定義された化粧料組成物の該物質への施与を含む方法に関する。
【００１９】
さらに別の本発明の側面に従うと、本発明は、ケラチン物質をメークアップする及び／又はケアするための化粧料組成物の製造のために、本発明に従う少なくとも１の複合染料を使用する方法に関する。
【００２０】
有利に、本発明に従う複合染料は、該染料が含む元の顔料の色とは異なる色、すなわちカプセル化されていない形の顔料の色をとは異なる色を有する。
【００２１】
さらに、これらの複合染料は、粉末の形態なので、広い範囲の操作条件下ですべてのタイプの化粧料組成物において容易に使用され得る。本発明に従う複合染料は、その製造の間に高温における加熱工程を避け難い化粧料製品、例えば口紅、に特に配合され得る。すなわち、溶液中の顔料、又は揮発性溶媒又は製造工程の間に蒸発できる溶媒中、又は他の化合物と相溶性ではない溶媒中のの分散物とは有利に異なる。
【００２２】
本発明者らは、界面の重縮合−架橋化による顔料のカプセル化は、該顔料の水中での流れを制限することを可能にすることをもまた発見した。
【００２３】
本発明の文脈において、用語「ケラチン物質」は、皮膚、口唇、爪、毛髪、睫、及び眉毛を意味し、用語「ケラチン繊維」は、より特に毛髪、睫、及び眉毛を意味する。
【００２４】
本発明に従う組成物は、生理学的に許容される媒体、特に化粧的に許容される媒体、すなわち特にケラチン物質、特にケラチン繊維例えば毛髪、睫、及び眉毛と融和性のある媒体を含む。
【００２５】
本発明の文脈において、用語「化粧的に許容される」とは、その使用がケラチン物質及びケラチン繊維への施与と両立する化合物を意味する。
【００２６】
本発明の目的のために、マイクロカプセルは、本明細書において「ポリマーマトリックス」とも呼ばれる支持物質からなる球形の粒子であって、それにより顔料が閉じ込められる。
【００２７】
ポリマーマトリックス
本発明における使用に適するポリマーマトリックスは、ポリウレタン、ポリウレア及び／又はポリウレタン／ポリウレアタイプであり、架橋されている。
【００２８】
本発明の好ましい実施態様に従うと、本発明に従うマイクロスフィアのポリマーマトリックスはポリウレタン／ポリウレアタイプである。
【００２９】
ポリマーマトリックスは、少なくとも２つの化合物、すなわち一方が「イソシアネート」タイプであり、他方が「アルコール及び／又はアミン」タイプである、を反応させることにより得られ得る。これらの２つの化合物の少なくとも１つは、少なくとも３つの同じ又は異なる官能基を有し、該官能基は、第一のタイプの場合は、イソシアネート官能基から選択され、第二のタイプの場合は、ヒドロキシル及びアミン官能基から選択される。この化合物は、特に架橋機能を担保する。
【００３０】
最初の実施態様に従うと、ポリマーマトリックスは、例えば、ヒドロキシル及びアミン官能基から選択された少なくとも３つの同じ又は異なる官能基を含むアルコール及び／又はアミンタイプの化合物を、１つのみ又は好ましくは２つさえのイソシアネート官能基を含むイソシアネートタイプの化合物と反応させることにより得られ得る。
【００３１】
別の実施態様の変形に従うと、ポリマーマトリックスは、トリイソシアネート又はポリイソシアネートを１つのみ、又は好ましくは２つさえの官能基を含むアルコール及び／又はアミンタイプの化合物と反応させることにより得られ得る。該官能基は適切であれば、同じであるか又は異なり、ヒドロキシル及びアミン官能基から選択される。
【００３２】
水もまた化合物として作用し得、ＮＣＯ基への付加及び引き続くＣＯ２の脱離によりアミノ基を生成する。次に、該アミノ基はインシチューでおそらくＮＣＯ基と反応する。
【００３３】
イソシアネートタイプの化合物
本発明に従う複合染料を形成するために使用され得るイソシアネートタイプの化合物は、１つ以上の、好ましくは２つの、又は３つさえのイソシアネート官能基を含み得る。それらは、例えば脂肪族、環状脂肪族、芳香族脂肪族、芳香族、及び複素環式のジ又はポリイソシアネート、例えばW. SiefkenによりJustus Liebigs Annalen der Chemie，第５６２巻，７５〜１３６ページに記載されているものであり得る。
【００３４】
本発明の一つの実施態様に従うと、イソシアネートタイプの化合物は、ジイソシアネート、特にエチレンジイソシアネート、１，４−テトラメチレンジイソシアネート、１，６−ヘキサメチレンジイソシアネート、２，２，４−又は２，４，４−トリメチル−１，６−ヘキサメチレンジイソシアネート、１，１２−ドデカンジイソシアネート、シクロブタン１，３−ジイソシアネート、シクロヘキサン１，３−及び１，４−ジイソシアネート、及びそれらの異性体の任意の混合物、４，４´−メチレンビス（シクロヘキシル）ジイソシアネート、１−イソシアナート−３，３，５−トリメチル−５−イソシアナートメチルシクロヘキサン、２，４−及び２，６−ヘキサンヒドロトルエンジイソシアネート、及びそれらの異性体の任意の混合物、ヘキサヒドロ−１，３−及び１，４−フェニレンジイソシアネート、パーヒドロ−１，４´及び４，４´−ジフェニルメタンジイソシアネート、１，３−及び１，４−フェニレンジイソシアネート、２，６−トルエンジイソシアネート及びそれらの異性体の任意の混合物、４，４´−ジフェニルメタンジイソシアネート（４，４´−ＭＤＩ）、１，５−ナフチレンジイソシアネート、ｍ−キシリレンジイソシアネート、テトラメチルキシリレンジイソシアネート、ｍ−及びｐ−イソシアナートフェニルスルホニルイソシアネート、リジンアルキルエステルジイソシアネート、ここでアルキルは、Ｃ１〜Ｃ１０のアルキルである、又は２−ブチル−２−エチルペンタメチレンジイソシアネート、及びそれらの混合物から選択され得る。
【００３５】
本発明の別の実施態様に従うと、イソシアネートタイプの化合物は、少なくとも３つのイソシアネート官能基を含み得、すなわち、架橋剤として作用し得る。それらは、特にトリイソシアネート、例えばトリフェニルメタン、４，４´４´´−トリイソシアネート、又は４−イソシアナートメチル−１，８−オクタンメチレンジイソシアネート、又はポリイソシアネート、特にポリフェニルポリメチレンポリイソシアネート、パークロロ化ポリイソシアネート、カルボジイミド基を含むポリイソシアネート、アロハネート基を含むポリイソシアネート、イソシアヌレート基を含むポリイソシアネート、アセチル化されたウレア基を含むポリイソシアネート、ビスウレア基を含むポリイソシアネート、テロメリゼーション反応により製造されたポリイソシアネート、エーテル基を含むポリイソシアネート、上記のイソシアネートとアセタールとの反応の生成物、ポリマー状の脂肪酸基を含むポリイソシアネート、及び上記のポリイソシアネートの任意の混合物から選択され得る。
【００３６】
イソシアネートタイプの化合物として、上記イソシアネートの混合物、すなわち脂肪族イソシアネートの混合物、芳香族イソシアネートの混合物、脂肪族及び芳香族イソシアネートの混合物、特に場合によって変性されたジフェニルメタンジイソシアネートを含んでいてもよい混合物を使用することもまた可能である。
【００３７】
特に挙げられ得るこれらの混合物の例は、４，４´−ジフェニルメタンと混合され、場合によって２，４−ジフェニルメタンイソシアネートと混合されていてもよいヘキサメチレンジイソシアネートのビュレット、４，４´―ジフェニルメタンジイソシアネートと混合され、場合によって２，４−ジフェニルメタンジイソシアネートと混合されていてもよい、三量化されたヘキサメチレンジイソシアネートを含む。
【００３８】
イソシアネートタイプの化合物として、上記のジ−又はポリイソシアネート、又はそれらの混合物から、ウレタン、アロハネート、ウレア、ビスウレア、アミド、イソシアヌレート、カルボジイミド、ウレトンイミン、オキサジアジントリオン又はイミノオキサジアジンジオン構造を用いてそれらを結合することにより製造され得るオリゴ又はポリイソシアネートを使用することもまた可能である。
【００３９】
ジ又はポリイソシアネート、例えばジフェニルメタンジイソシアネートモノマー及びジフェニルメタンジイソシアネートオリゴマー(ＭＤＩポリマーとして公知)の混合物、２，４−トリレンジイソシアネート（２，４−ＴＤＩ），２，４´−ジフェニルメタンジイソシアネート（２，４´−ＭＤＩ），トリイソシアナートトルエン、イソホロンジイソシアネート（ＩＰＤＩ），２−ブチル−２−エチルペンタメチレンジイソシアネート、２−イソシアナートプロピルシクロヘキシルイソシアネート、３（４）−イソシアナートメチル−１−メチルシクロヘキシルイソシアネート、１，４−ジイソシアナート−４−メチルペンタン、２，４´−メチレンビス（シクロヘキシル）ジイソシアネート及び４−メチルシクロヘキサン１，３−ジイソシアネート（Ｈ−ＴＤＩ）もまた挙げられ得、それらはより特にイソシアネートタイプの化合物として使用され得る。
【００４０】
すなわち、一つの好ましい実施態様に従うと、本発明に従う複合染料を形成するために使用され得るイソシアネートタイプの化合物は、ジ又はポリイソシアネート、特にジフェニルメタンジイソシアネートのモノマー、及びジフェニルメタンジイソシアネートオリゴマー(ＭＤＩポリマー)、トリレンジイソシアネート（ＴＤＩ），及び特に２，４−トリレンジイソシアネート及び２，６−トリレンジイソシアネート、またそれらの混合物、４，４´−ジフェニルメタンジイソシアネート（４，４´−ＭＤＩ）又はイソホロンジイソシアネート（ＩＰＤＩ）から選択される。
【００４１】
本発明を実行するために使用されるべきイソシアネートタイプの化合物の量は、界面重付加法において一般的に使用される範囲内で変動し、特にマイクロカプセル化の所望される度合いに特に依存する。
【００４２】
アルコール及び／又はアミンタイプの化合物
本発明に従う複合染料を形成するために使用され得るアルコール及び／又はアミンタイプの化合物は、ヒドロキシル及びアミン官能基から選択された１以上の、特に２の、又は３さえの、同一又は異なる官能基を含み得る。
【００４３】
それらは、例えばアルコールタイプの化合物、アミンタイプの化合物、アミノアルコールタイプの化合物から選択され得、単独で又は混合物として使用され得る。
【００４４】
好ましくは２００〜４０００ｇ/モルの範囲の分子量を有する。
【００４５】
アルコールタイプの化合物
本発明に従う複合染料を形成するために使用され得るアルコールタイプの化合物は、１以上の、特に２の、又は３さえのヒドロキシル官能基を含み得る。
【００４６】
より特に、これらの化合物はポリオールであり得る。
【００４７】
本発明の目的のために、用語「ポリオール」は、その化学構造の中に、少なくとも２のヒドロキシル基、−ＯＨを含む任意の有機分子を意味する。
【００４８】
ポリオールは、例えば直鎖、分岐状、又は環状、飽和又は不飽和の、少なくとも２のヒドロキシル官能基を有する炭化水素をベースとする化合物であり得る。
【００４９】
ポリオールは、特に炭素(炭化水素)をベースとする化合物であって、好ましくは２〜３００の炭素原子を含み、少なくとも２、好ましくは２〜１０のヒドロキシル基を有する化合物である。
【００５０】
好ましくは、それは３〜３２の炭素原子、特に４〜１８の炭素原子、又は４〜１２さえの炭素原子を含む炭素(炭化水素)をベースとする化合物である。
【００５１】
特に、ポリオールは２〜１８の炭素原子及び２〜６のヒドロキシル官能基を含む化合物であり得る。
【００５２】
本発明の一つの実施態様に従うと、アルコールタイプの化合物はジオール、特にグリコール誘導体、例えばジエチレングリコール、ジプロピレングリコール、エチレングリコール、プロピレングリコール、ヘキシレングリコール、イソプレングリコール、ブチレングリコール、及びペンチレングリコール、又はブタンジオール、１，２−プロパンジオール、ペンタンジオール、そして特に１，５−ペンタンジオール、デカンジオール、及びドデカンジオール、又はそれらの混合物から選択され得る。
【００５３】
本発明の別の実施態様に従うと、アルコールタイプの化合物は、少なくとも３つのヒドロキシル官能基を含み得、すなわち架橋剤として作用し得る。そうすると、該化合物は、特にトリメチロールプロパン、グリセロール、ペンタエリスリトール、１，２，３−トリヒドロキシヘキサン、エリスリトール、アラビトール、アドニトール、ドゥルシトール、及びソルビトール、グリセロールポリマー及びコポリマー、例えばヘキサグリセロール及びジグリセロール、グリセロール誘導体、例えばブチルジグリコール、ポリグリセリル−３ジイソステアレート及びヒマシ油、グリコール誘導体、例えばポリエチレングリコール及び特に４〜１５０のエチレングリコール単位を含むポリエチレングリコール（ＰＥＧ），例えばＰＥＧ−４００，ＰＥＧ−６００、ＰＥＧ−８００，及びＰＥＧ−１２００、ポリプロピレングリコール、エチレングリコール及びプロピレングリコールのコポリマー、又は糖、例えばグルコース、フルクトース、キシロース、トレハロース、スクロース、マルトース、及びラクトース、及びそれらの混合物から選択され得る。
【００５４】
好ましくは、架橋剤として有益なアルコールタイプの化合物は、トリメチロールプロパン、グリセロール、ペンタエリスリトール及び糖から選択される。
【００５５】
ポリオールは、１５０〜６００の範囲の平均分子量を有するポリエーテルアルコール、例えばポリエチレングリコール３００及びポリグリセロール５００でもあり得る。
【００５６】
上記のポリオールの任意の混合物を使用することもまた可能である。
【００５７】
ポリオールは、エーテル化されていないポリオール及びエステル化されていないポリオールからもまた選択され得る。
【００５８】
一つの好ましい実施態様に従うと、本発明に従う複合染料を形成するために使用され得るアルコールタイプの化合物は、ジオール、例えば、ジエチレングリコール、ポリオール、例えばポリエチレングリコール、特に４〜１５０のエチレングリコール単位を含むもの、又はポリエチレングリコール及びジエチレングリコールの混合物から選択される。
【００５９】
アミンタイプの化合物
本発明に従う複合染料を形成するために使用され得るアミンタイプの化合物は、１以上の、特に２の、又は３さえのアミン官能基を含み得る。
【００６０】
本発明の有利な実施態様に従うと、アミンタイプの化合物は、ジアミン、例えばジアミノエタン、ジアミノプロパン、ジアミノブタン、ジアミノヘキサン、ピペラジン、２，５−ジメチルピペラジン、アミノ−３−アミノ−メチル−３，５，５−トリメチルシクロヘキサン（イソホロンジアミン、ＩＰＤＡ），４，４´−ジアミノジシクロヘキシルメタン、１，４−ジアミノシクロヘキサン、アミノエチルエタノールアミン、ヒドラジン又はヒドラジン水和物から選択され得る。
【００６１】
本発明の別の実施態様に従うと、アミンタイプの化合物は、少なくとも３つのアミン官能基を含み、すなわち架橋剤として作用し得る。そうすると、該化合物は特に、トリアミン、例えばグアニジン、ジエチレントリアミン、又は１，８−ジアミノ−４−アミノメチルオクタンから選択され得る。
【００６２】
アミンタイプの化合物は、ケチミン、ケタジン、又は対応するアミン塩の形でもまた使用され得る。
【００６３】
一つの好ましい実施態様に従うと、本発明に従う複合染料を形成するために使用され得るアミンタイプの化合物は、一級アミン及びＮＨＲタイプの二級アミン、ここでＲは１〜８の炭素原子を含むアルキル基を表す、から選択された少なくとも１のアミノ基を含む。
【００６４】
アミンタイプの化合物は、好ましくはそのままの形で、又はその塩の形で水に可溶である。
【００６５】
アミノアルコールタイプの化合物
本発明に従う複合染料を形成するために使用され得るアミノアルコールタイプの化合物は、アミン及びヒドロキシル官能基から選択された少なくとも２の異なる官能基を含み得る。
【００６６】
本発明の一つの実施態様に従うと、アミノアルコールタイプの化合物は二官能性であり得、すなわちそれらは２つの官能基、すなわちアミン官能基及びヒドロキシル官能基を含み得る。
【００６７】
本発明の別の実施態様に従うと、アミノタイプに化合物は、少なくとも３つの官能基を含み、すなわち架橋剤として使用し得る。それらは例えば単一のヒドロキシル（又はアミン）官能基及び少なくとも２のアミン（又はそれぞれヒドロキシル）官能基、又は２つのヒドロキシル（又はそれぞれアミン）官能基、及び少なくとも１のアミン（又はそれぞれヒドロキシル）官能基を含み得る。
【００６８】
本発明において使用され得るアミノアルコールタイプの化合物として、特にエタノールアミン及びトリエタノールアミンが挙げられ得る。
【００６９】
前に述べたように、本発明に従うマイクロカプセルのポリマーマトリックスは、第一の選択肢に従うと、少なくとも１のジイソシアネート、例えば上で記載されたもの、をヒドロキシル、及びアミン官能基から選択された少なくとも３つの同じ又は異なる官能基を有し、場合によって上で記載され少なくとも１のジオール及び／又は少なくとも１のジアミン、及び／又は少なくとも１の二官能性アミノアルコールの存在下で、架橋剤として作用し得るアルコール及び／又はアミンタイプの少なくとも１の化合物と反応させることによって得られ得る。
【００７０】
一つの好ましい実施態様に従うと、イソシアネートタイプの化合物は、ジフェニルメタンジイソシアネートモノマー及びジフェニルメタンジイソシアネートオリゴマー（ＭＤＩポリマー）、トリレンジイソシアネート（ＴＤＩ），及び特に２，４−トリレンジイソシアネート及び２，６−トリレンジイソシアネート、またそれらの混合物、４，４´−ジフェニルメタンジイソシアネート（４，４´−ＭＤＩ）、又はイソホロンジイソシアネート（ＩＰＤＩ）から選択されたジイソシアネートである。
【００７１】
使用され得る架橋剤として作用する化合物の例は、上記のトリオール、ポリオール、トリアミン、及びポリアミンを含む。
【００７２】
一つの好ましい実施態様に従うと、架橋剤として作用する化合物は、トリオール、例えばトリメチロールプロパン、グリセロール、ペンタエリスリトール、及びポリオール例えば糖、例えばグルコース、フルクトース、キシロース、トレハロース、スクロース、マルトース、及びラクトースから選択される。
【００７３】
一つの好ましい実施態様に従うと、ジアミンは、一級アミン及びＮＨＲタイプの二級アミン、ここでＲは１〜８の炭素原子を含むアルキル基を表す、から選択された少なくとも１のアミノ基を含む。
【００７４】
本発明に従うポリマーマトリックスは、少なくとも２の上記の化合物の界面重縮合により特に得られる。
【００７５】
界面重縮合は、２つの非混和性の液体の界面において起きる重合反応であり、該２つの液体の少なくとも１つが適切な多官能性の化合物を含む。
【００７６】
一つの好ましい実施態様に従うと、モノマー及び／又は化合物の少なくとも１つが、第一の相に可溶であり、モノマー及び／又は化合物の少なくとも１つが、第一の相と非相溶性である第二の相に可溶である。
【００７７】
この反応が副生成物の除去なしに行われるとき、界面重合として公知である。
【００７８】
この反応は、エマルジョン、特に２相、又は多相エマルジョンにおいて、非混和性の相の間の界面において特に行われ得る。
【００７９】
本特許出願の文脈において、反応は、水中油型又は油中水型タイプのエマルジョンにおいて、又は水中油中水型、又は油中水中油型のマルチエマルジョンにおいて行われ得る。
【００８０】
一つの好ましい実施態様に従うと、エマルジョンは水中油型である。
【００８１】
上記のように、本発明における使用に適するポリマーマトリックスは架橋される。
【００８２】
この架橋は、ポリマー鎖を、架橋剤として知られている３以上の官能基を有する化合物と反応させることにより得られる。その例は上に与えられている。
【００８３】
ポリマーマトリックスの架橋に続いて、本発明に従ってカプセル化された顔料に誘起される効果、例えば色の修飾は不可逆である。
【００８４】
ポリマーマトリックスの構造によって、２つのタイプのマイクロカプセルが区別される：
マトリックスタイプのマイクロカプセル（マイクロスフィアとしても公知である）。ポリマーマトリックスは連続するネットワークであり、該ネットワークの中にカプセル化されるべき顔料は分散されている。
リザーバータイプのマイクロカプセル。該カプセルにおいては、ポリマーマトリックスは、種々の厚さの固体のエンベロープである。該エンベロープは、「シェル」としてもまた公知であり、カプセル化されるべき顔料が閉じ込められるコアの境界線を定める。
【００８５】
本発明の文脈において、リザーバータイプのマイクロカプセルは該顔料をそのシェル及び／又はコアの中に閉じ込めることができる。
【００８６】
反応がエマルジョンにおいて行われるとき、もし反応の始めにおいて形成されたオリゴマーが分散された相に不溶であるならば、リザーバータイプのマイクロカプセルの形成が有利である。他方、もし該オリゴマーが分散された相に可溶であるならば、マトリックスタイプのマイクロカプセルの形成が次に有利である。
【００８７】
重合が溶媒の不存在下で行われるとき、得られるマイクロカプセルはマトリックスタイプである。
【００８８】
重合が溶媒の不存在下であるが、オイル、特に化粧料用オイル、該オイルは形成されたオリゴマーを溶媒和しない、の存在下で行われるとき、得られるマイクロカプセルはリザーバータイプである。
【００８９】
本発明の一つの実施態様に従うと、マイクロカプセルはリザーバータイプである。
【００９０】
別の実施態様に従うと、本発明に従う顔料は、リザーバータイプのマイクロカプセルのシェルの中に閉じ込められている。
【００９１】
別の実施態様に従うと、本発明に従う顔料は、リザーバータイプのマイクロカプセルのコアの中に閉じ込められている。
【００９２】
本発明に従う顔料は、リザーバータイプのマイクロカプセルのシェルの中及びコアの中の両方に閉じ込められ得る。
【００９３】
本発明の別の実施態様に従うと、マイクロカプセルはマトリックスタイプである。
【００９４】
本発明に従い、かつさらなる精度なしに、用語「マイクロカプセル」は、マトリックスタイプのマイクロカプセル及びリザーバータイプのマイクロカプセルの両方を含むことが意図される。
【００９５】
本発明に従うマイクロカプセルは、５００ｎｍ〜１２００ｎｍ、特に５００ｎｍ〜３０μｍのサイズを有する。
【００９６】
マイクロカプセルのサイズは、例えば光学顕微鏡又は電子顕微鏡、又はレーザー粒度計により測定され得る。
【００９７】
顔料
用語「顔料」は、化粧料に通常使用される液状の親水性及び脂溶性相に自然には不溶であるか、又は適切であれば、レーキの形で配合することにより不溶にされているところの、白色又は着色された固体の粒子を意味する。
【００９８】
用語「顔料」は、例えば、２５℃及び１気圧においてイソドデカン溶液の合計重量に対して１０重量％の含有量でそこに存在するとき、イソドデカン溶液に不溶であるところの白色又は着色された固体粒子を意味し得る。
【００９９】
用語「不溶」とは、本発明の目的のために、液相中に、特にイソドデカン溶液中に、懸濁された粒子が残っていること、又は３０分間混合及び攪拌の後に混合物が透明ではないことを意味することが意図される。
【０１００】
本発明の文脈において、顔料は少なくとも部分的に有機性であり得る。
【０１０１】
本発明の一つの実施態様に従うと、顔料は有機顔料である。
【０１０２】
本発明の別の実施態様に従うと、顔料は鉱物顔料である。
【０１０３】
本発明に従うマイクロカプセルは、ポリマーマトリックスの合計重量に対して８０重量％以下の顔料を含む。特にポリマーマトリックスの重量に対して１０〜８０重量％、例えば１５重量％〜７５重量％、特に２０重量％〜７０重量％、又は２５重量％〜６５重量％、特に３０重量％〜６０重量％の顔料を含み得る。
【０１０４】
表現「ポリマーマトリックスの重量に対して」とは、対応する含有量が、顔料を考慮にいれることなく、ポリマーマトリックスの重量のみを指すということを意味すると意図される。
【０１０５】
言い換えると、対応する含有量は、ポリマーマトリックスの組成物に入っているモノマーの合計重量を指すことを意味する。
【０１０６】
言うまでもなく、カプセル化の程度は、色の所望される修飾に依存し、すなわち、得ることが所望されている効果に従ってかなり変化し得る。
【０１０７】
本発明において使用され得る顔料の例として、カーボンブラック、酸化チタン、酸化クロム、Ｄ＆Ｃ又はＦＤ＆Ｃのタイプの顔料、及びそれらのレーキ、特にＤ＆ＣブルーＮｏ．４、Ｄ＆ＣブラウンＮｏ．１、ＦＤ＆ＣグリーンＮｏ．３、Ｄ＆ＣグリーンＮｏ．５、Ｄ＆ＣグリーンＮｏ．６、ＦＤ＆ＣグリーンＮｏ．８、Ｄ＆ＣオレンジＮｏ．４、Ｄ＆ＣオレンジＮｏ．５、Ｄ＆ＣオレンジＮｏ．１０、Ｄ＆ＣオレンジＮｏ．１１、ＦＤ＆ＣレッドＮｏ．４、Ｄ＆ＣレッドＮｏ．６、Ｄ＆ＣレッドＮｏ．７、Ｄ＆ＣレッドＮｏ．１７、Ｄ＆ＣレッドＮｏ．２１、Ｄ＆ＣレッドＮｏ．２２、Ｄ＆ＣレッドＮｏ．２７、Ｄ＆ＣレッドＮｏ．２８、Ｄ＆ＣレッドＮｏ．３０、Ｄ＆ＣレッドＮｏ．３１、Ｄ＆ＣレッドＮｏ．３３、Ｄ＆ＣレッドＮｏ．３４、Ｄ＆ＣレッドＮｏ．３６、ＦＤ＆ＣレッドＮｏ．４０、ＦＤ＆ＣレッドＮｏ．４０レーキ、Ｄ＆ＣバイレットＮｏ．２、Ｅｘｔ．Ｄ＆ＣバイオレットＮｏ．２、ＦＤ＆ＣブルーＮｏ．１、Ｄ＆ＣイエローＮｏ．６、ＦＤ＆ＣイエローＮｏ．６、Ｄ＆ＣイエローＮｏ．７、Ｅｘｔ．Ｄ＆ＣイエローＮｏ．７、Ｄ＆ＣイエローＮｏ．８、Ｄ＆ＣイエローＮｏ．１０、又はＤ＆ＣイエローＮｏ．１１の名前で当業者に公知であるものが挙げられ得、該顔料が化粧料において通常使用される親水性相及び脂溶性相に自然には不溶でないとき、それは対応するレーキの形で使用されると理解されたい。
【０１０８】
特に挙げられ得るレーキの例は、バリウム、ストロンチウム、カルシウム又はアルミニウム、又はジケトピロロピロールに基づくレーキを含む。
【０１０９】
本発明において使用され得る顔料のさらなる例として、特に、鉱物顔料、場合によって表面処理されている及び／又は被覆されていてもよい、及び特に二酸化チタン、酸化ジルコニウム又は酸化セリウム、酸化亜鉛、酸化鉄（黒、黄色、又は赤）又は酸化クロム、マンガン紫、群青色、クロム水和物、第二鉄青、又は金属粉末、例えばアルミニウム粉末、銅粉末、金粉末及び銀粉末が挙げられ得る。
【０１１０】
光学効果を有する顔料、例えば天然又は合成の、有機又は鉱物の基材、例えばガラス、アクリル樹脂、ポリエステル、ポリウレタン、ポリエチレンテレフタレート、セラミック若しくはアルミナを含む粒子が挙げられ得る。該基材は場合によって金属物質、例えばアルミニウム、金、銀、プラチナ、銅又はブロンズ、又は金属酸化物、例えば二酸化チタン、酸化鉄、又は酸化クロムで被覆されていてもよい。
【０１１１】
それらは真珠層であってもよい。
【０１１２】
用語「真珠層」は、特にある種の軟体動物によりその殻の中で生産され、又は合成される遊色効果がある粒子を意味すると理解されるべきである。
【０１１３】
真珠層顔料は、チタン又はオキシ塩化ビスマスで被覆されたマイカ、酸化鉄で被覆されたチタンマイカ、特に第二鉄青又は酸化クロムで被覆されたチタンマイカ、上記のタイプの有機顔料で被覆されたチタンマイカ、及びオキシ塩化ビスマスに基づく真珠層顔料から選択され得る。干渉顔料、特に液晶又は多層顔料もまた使用され得る。
【０１１４】
それらは、例えばセリサイト／褐色酸化鉄／二酸化チタン／シリカタイプである構造を有する顔料でもまたあり得る。
【０１１５】
それらは、例えば、酸化鉄を含むシリカのマイクロスフィアタイプのものであり得る構造を有する顔料をもまた含み得る。
【０１１６】
本発明における使用に最も特に適する顔料及びレーキの例として、特に、Ｄ＆ＣレッドＮｏ．７、酸化チタン、酸化クロム、上述のＤ＆Ｃ及びＦＤ＆Ｃタイプの顔料のレーキ、及び特にＤ＆ＣレッドＮｏ．２２レーキ、イエローＮｏ．６レーキ、及びＦＤ＆ＣブルーＮｏ．１レーキが挙げられ得る。
【０１１７】
他の非着色物質
本発明に従う複合染料は、少なくとも１の非着色物質であって化粧用オイル及びワックス、特に鉱物、動物、植物、又は合成のオイル及びワックス、化粧的に活性な剤、例えばビタミン、ＵＶ−スクリーン剤、香料、及び保湿剤から選択され得るものをもまた、追加的に含み得る。
【０１１８】
追加的な非着色物質は、このマイクロカプセルがリザーバータイプのものであるとき、顔料の位置と関係なくマイクロカプセルのシェルの中に、又はコアの中に閉じ込められ得る。
【０１１９】
追加の非着色物質は、ポリマーマトリックスの重量に対して、０．００１重量％〜６０重量％の範囲の含有量で存在し得る。
【０１２０】
特に、追加の化粧料オイルは、ポリマーマトリックスの合計重量に対して、１０重量％〜６０重量％の含有量で存在し得る。
【０１２１】
追加の化粧的に活性な剤は、ポリマーマトリックスの合計重量に対して、０．００１重量％〜１０重量％の含有量で存在し得る。
【０１２２】
マイクロカプセルのサイズは、最小量の疎水性オイル、好ましくは炭化水素をベースとするオイルであって、例えばイソドデカン、又はパールリーム、及び／又は脂肪酸エステル、特に安息香酸の脂肪アルキルエステルを、ポリマーマトリックスの合計重量に対して５重量％〜２０重量％の範囲の量で添加することによって有利にコントロールされ得る。
【０１２３】
本発明に従う複合染料は、界面重縮合、より特に以下の製造方法により得られ得る。
【０１２４】
この方法は０℃〜１００℃の範囲の温度において行われえる。水性相及び有機相の乳化は、例えばＵｌｔｒａ−Ｔｕｒｒａｘ（商標）タイプのホモジェナイザー又はソニケーター（超音波プローブ）を２℃〜４０℃の温度、好ましくは約１５℃において使用して攪拌することにより得られる。
【０１２５】
乳化後、水溶性のコモノマーが水性相に導入され、重合を開始させるために、反応媒体の温度が６０℃〜１００℃の温度、好ましくは約６５℃に上げられる。
【０１２６】
本発明に従って、重合は、触媒、例えば２−エチルヘキサン酸スズの存在下又は不存在下で行われえる。
【０１２７】
重合の終わりに、粉末が遠心分離により（３０分間４０００ｒｐｍ）、又は濾過、又は場合により凍結乾燥により回収され得る。次にこのようにして得られた粉末は、水及びエタノールで洗浄されて、それから空気乾燥される。
【０１２８】
水性相は一般的に水からなるが、水溶性の有機溶媒を含む水性溶液であってもよい。
【０１２９】
水性相は、安定化剤、コロイド、例えばポリビニルアルコール（ＰＶＡ）又はポリビニルピロリドン（ＰＶＰ）、及びイオン性界面活性剤、例えばラウリル硫酸ナトリウム（ＳＤＳ），又はノニオン性界面活性剤、例えばプルロニック範囲のポリエチレンオキサイド−ポリプロピレンオキサイドーポリエチレンオキサイドブロックコポリマーをもまた含み得る。
【０１３０】
それは水溶性モノマーをもまた含み得る。
【０１３１】
有機相は疎水性モノマー（イソシアネートタイプの化合物）及び顔料を含む。
【０１３２】
イソシアネートモノマーのための溶媒、例えばトルエン、キシレン、又は揮発性オイル（イソドデカン）又は非揮発性鉱物オイル（パールリーム、安息香酸アルキルエステル）又は植物、動物、又はシリコーンオイル（ジメチルシロキサン、又はフェニルシリコーン）又はワックス、又はこれらのオイル及びワックスの混合物を含み得る。有機相は顔料を分散させるための剤（ゾルスパース（商標））をもまた含み得る。
【０１３３】
本発明に従う複合染料は、特に化粧料及び／又は皮膚科学組成物を着色するため、及び／又は不透明化するために化粧料及び皮膚科学において使用され得る。
【０１３４】
すなわち、本発明の側面の一つに従うと、本発明は特にケラチン物質をメイクアップする及び／又はケアするための化粧料組成物及び／又は皮膚科学組成物であって、本発明に従う少なくとも１の複合染料を含むことを特徴とする組成物に関する。
【０１３５】
本発明に従う組成物は、その合計重量に対して、０．０１重量％〜５０重量％、特に０．１重量％〜２０重量％、特に０．５重量％〜１５重量％の上で定義された化粧料染料を含み得る。
【０１３６】
本発明に従う化粧料組成物又は皮膚科学組成物は、上記複合染料以外に、生理学的に許容される媒体、特に化粧料的又は皮膚科学的に許容される媒体、すなわちケラチン物質、例えば顔又は体の皮膚、口唇、毛髪、睫、眉毛、及び爪と融和性のある媒体を含み得る。
【０１３７】
本発明に従う組成物は、意図された用途に応じて、このタイプの組成物に一般的にである成分を含み得る。
【０１３８】
すなわち、本発明に従う組成物は、水又は水と親水性有機溶媒、例えばアルコール、特に直鎖又は分岐状の２〜５の炭素原子を含む低級モノアルコール、例えばエタノール、イソプロパノール、又はｎ−プロパノール、及び／又はポリオール、例えばグリセロール、ジグリセロール、プロピレングリコール、ソルビトール、ペンチレングリコール、及びポリエチレングリコール；及び／又は親水性のＣ２エーテル、及びＣ２〜Ｃ４のアルデヒド；及び／又は短鎖のエステル（全部で３〜８の炭素原子を含む）、例えば酢酸エチル、酢酸メチル、酢酸プロピル、酢酸ｎ−ブチル、又は酢酸イソペンチルとの混合物を含み得る。
【０１３９】
本発明に従う組成物は、それ自身がオイル及び／又は溶媒（好ましくは脂溶性）を含み得る液状脂肪相、ワックス、ガム、及び／又はペースト状脂肪物質（植物、動物、鉱物、又はシリコーンをベースとしていてさえもよい合成起源のもの）、及びそれらの混合物を有利に含み得る。
【０１４０】
本発明に従う組成物中に存在し得るワックスとして挙げられ得る例は、単独又は混合物として、炭化水素をベースとするワックス、例えば蜜蝋、カルナウバ蝋、キャンデリラ蝋、オウリキュリー蝋、木蝋、コルクファイバー蝋、又はサトウキビ蝋、パラフィンワックス、リグナイト蝋、マイクロクリスタリンワックス、ラノリン蝋、モンタン蝋、オゾケライト；ポリエチレンワックス；フィッシャー−トロプシュ合成により得られたワックス、水添オイル、２５℃において固体であるところの脂肪族エステル及びグリセリドを含む。シリコーンワックス、例えばアルキル又はアルコキシポリメチルシロキサン及び／又はポリメチルシロキサンエステルを使用することもまた可能である。
【０１４１】
本発明に従う組成物は、鉱物、動物、植物、又は合成起源の、揮発性又は非揮発性の炭素をベースとするオイル、炭化水素をベースとするオイル、フルオロ及び／又はシリコーンオイルをもまた単独で又は混合物として含み得る。ただしそれらが均一でかつ安定な混合物を形成し、意図された使用と両立する限りにおいてである。
【０１４２】
本発明に従う組成物中に存在し得るオイルとして、炭化水素をベースとするオイル例えば液状パラフィン又は液状石油ゼリー；ペルヒドロスクワレン；アララ油：スイートアーモンド油、ビューティリーフオイル、パーム油、ひまし油、アボガド油、ホホバ油、オリーブ油、又は、穀物胚芽油；ラノリン酸、オレイン酸、ラウリン酸、又はステアリン酸のエステル；アルコール例えばオレイルアルコール、リノレイルアルコール、リノレニルアルコール、イソステアリルアルコール又はオクチルドデカノールが単独で又は混合物として特に挙げられ得る。シリコーンオイル、例えば場合によってフェニル化されていてもよいポリジメチルシロキサン、例えばフェニルトリメチコーンもまた挙げられ得る。
【０１４３】
本発明に従う組成物は、揮発性オイル、例えばシクロテトラジメチルシロキサン、シクロペンタジメチルシロキサン、シクロヘキサジメチルシロキサン、メチルヘキシルジメチルシロキサン、ヘキサメチルジシロキサン又はイソパラフィンをもまた含み得る。
【０１４４】
好ましくは、本発明に従う組成物は、揮発性イソパラフィン、例えばイソドデカン、炭素をベースとする非揮発性のオイル、例えばパールリーム、又はアルキル安息香酸エステル、ポリジメチルシロキサン、揮発性シリコーン及びフェニルシリコーンオイルから選択された少なくとも１のオイルを含む。
【０１４５】
本発明に従う組成物は、水溶性染料、脂溶性染料、及び粉末染料、例えば当業者に周知である顔料、真珠層、及びフレークから選択された少なくとも１の追加の染料をもまた含み得る。
【０１４６】
これらの追加の染料は、組成物の合計重量に対して０．０１重量％〜５０重量％、好ましくは０．０２重量％〜２５重量％の範囲の含有量で組成物中に存在し得る。
【０１４７】
用語「追加の顔料」とは、任意の形態の白色又は着色された、鉱物又は有機の粒子であって、生理学的な媒体中に不溶であって、組成物を着色することを意図されている粒子を意味すると理解されるべきである。追加の顔料として使用され得る鉱物質の顔料として、特に二酸化チタン、場合によって表面処理されていてもよい、酸化ジルコニウム又は酸化セリウム、及び酸化亜鉛、酸化鉄（黒、黄色、又は赤）又は酸化クロム、マンガン紫、群青、クロム水和物、第二鉄青、及び金属粉末、例えばアルミニウム粉末又は銅粉末が挙げられ得る。
【０１４８】
追加の顔料として使用され得る有機の顔料として、カーボンブラック、Ｄ＆Ｃタイプの顔料、コチニールカーマイン、又はバリウム、ストロンチウム、カルシウム、又はアルミニウムに基づくレーキが特に挙げられ得る。
【０１４９】
真珠層顔料は、白色真珠層顔料、例えばチタン又はオキシ塩化ビスマスで被覆されたマイカ、着色された真珠層顔料、例えば酸化鉄で被覆されたチタンマイカ、特に第二鉄青又は酸化クロムで被覆されたチタンマイカ、上記のタイプの有機顔料で被覆されたチタンマイカ、及びオキシ塩化ビスマスに基づく真珠層顔料から選択され得る。
【０１５０】
特に挙げられ得る水溶性染料は、ポンソーの二ナトリウム塩、アリザリングリーンの二ナトリウム塩、アマランスの三ナトリウム塩、タートラジンの二ナトリウム塩、ローダミンのモノナトリウム塩、フクシンの二ナトリウム塩、キサントフィル及びメチレンブルーを含む。
【０１５１】
本発明に従う組成物は、組成物の合計重量に対して０．０１〜５０重量％、好ましくは０．０２〜３０重量％の範囲の含有量で１以上のフィラーをもまた含み得る。
【０１５２】
用語「フィラー」は、組成物が製造されるところの温度に関わらず組成物の媒体に不溶である、無色又は白色の、鉱物又は合成の、任意の形の粒子を意味すると理解されるべきである。これらのフィラーは、特に、組成物のレオロジー又はテクスチャーを改質するために機能する。フィラーは、鉱物又は有機質であり得、結晶学的な形態（例えばラメラ、立方晶系、六方晶系、斜方晶系等）に関わらず、板状、球状又は長方形の任意の形態であり得る。
【０１５３】
特に挙げられ得るフィラーの例は、タルク、マイカ、シリカ、カオリン、ポリアミド（ナイロン（登録商標））粉末（アトケム社製オルガゾル（商標））、ポリ−β−アラニン粉末、及びポリエチレン粉末、テトラフルオロエチレンポリマー（テフロン（登録商標））の粉末、ラウロイルリジンの粉末、澱粉、窒化ホウ素、中空のポリマーマイクロスフィア、例えばポリビニリデンクロライド／アクリロニトリルのもの、例えばＥｘｐａｎｃｅｌ（商標）（ノーベルインダストリー）、アクリル酸ポリマーの粉末（ダウコーニング製ポリトラップ（商標））、及びシリコーン樹脂ミクロビーズ（例えば東芝製トスパール（商標））、エラストマー状ポリオルガノシロキサン粒子、沈殿された炭酸カルシウム、炭酸マグネシウム、及び重炭酸マグネシウム、ハイドロキシアパタイト、中空シリカマイクロスフィア（Maprecos製のシリカビーズ（商標））、ガラス又はセラミックのマイクロカプセル、８〜２２、好ましくは１２〜１８の炭素原子を含む有機カルボン酸から誘導される金属石鹸、例えばステアリン酸亜鉛、ステアリン酸マグネシウム、又はステアリン酸リチウム、ラウリン酸亜鉛、又はミリスチン酸マグネシウムを含む。
【０１５４】
本発明に従う組成物は、化粧料において一般的に使用される成分、例えばビタミン、増粘剤、ゲル化剤、微量元素、柔軟剤、封鎖剤、香料、酸性化剤または塩基化剤、保存剤、サンスクリーン、界面活性剤、抗酸化剤、抜け毛防止剤、抗フケ剤、噴射剤、セラミド、化粧的に活性な剤、保湿剤、ビタミン、必須脂肪酸、ポリマー、安定化剤、及びコロイド、又はそれらの混合物をもまた含み得る。
【０１５５】
言うまでもなく、当業者は、本発明の組成物の有利な性質が、考慮されている添加により実質的に不利益に影響されないように、これ又はこれらの任意的な追加の化合物及び／又はその量を選択するように気をつける。
【０１５６】
本発明に従う組成物は、懸濁物、分散物、溶液、特に有機溶液、ゲル、エマルジョン、特に水中油型（Ｏ／Ｗ）又は油中水型（Ｗ／Ｏ）、又はマルチエマルジョン（Ｗ／Ｏ／Ｗ又はポリオール／Ｏ／Ｗ又はＯ／Ｗ／Ｏ）、クリームの形、ペースト、ムース、ベシクルの分散物、イオン性又はノニオン性の脂質のもの、２相又はマルチ層のローション、スプレー、粉末又はペースト、特にソフトペーストの形態であり得る。
【０１５７】
組成物は無水であり得、例えば無水のペーストであり得る。
【０１５８】
本発明の目的のために、用語「無水の」は、５重量％未満、特に３重量％未満の水を含む組成物、又は水を含まない組成物さえを意味する。
【０１５９】
当業者は、その一般的な知識に基づいて、第一に使用される成分の性質を、特に支持物中におけるそれらの溶解度を、第二に、組成物の意図された用途を考慮に入れて適切な剤型（galenical form）、またそれを製造する方法を選択し得る。
【０１６０】
本発明に従う組成物は、メイクアップ組成物、特に顔色調節製品、例えばファンデーション、メイクアップルージュ又はアイシャドウ；口唇製品例えば口紅、又は口唇ケア製品；コンシーラー製品、頬紅、マスカラ、アイライナー、眉毛メークアップ性品、口唇又はアイペンシル；爪製品、例えば爪のマニキュア又は爪ケア製品；ボディメイクアップ製品又は毛髪メイクアップ製品（ヘアマスカラ又はヘアラッカー）であり得る。
【０１６１】
本発明に従う組成物は、顔の皮膚、首、手又は体を保護する、又はケアするための組成物、特に抗しわ剤又は皮膚を輝いているように見せる抗疲労組成物、保湿又はトリートメントする組成物；抗太陽又は人工日焼け組成物であり得る。
【０１６２】
本発明に従う組成物は、毛髪製品、特にヘアスタイルのケア、衛生、又は保持又は毛髪を形付けるための製品でもまたあり得る。毛髪組成物は好ましくはシャンプー、ジェル、毛髪固定ローション、ブロー乾燥ローション、又は固定化及びスタイリング組成物例えばラッカー又はスプレーである。ローションは、蒸気化された形又はムースの形での該組成物の施与を許すように、種々の形態、特に噴霧器又はポンプ容器ボトル、又はエアゾール容器中でコンディションされ得る。
【０１６３】
本発明に従う組成物は毛髪の着色組成物でもまたあり得る。
【０１６４】
有利に、本発明に従う組成物はメイクアップ組成物、特に爪又は口唇のための組成物であり得る。特にそれらは爪のマニュキア又は口紅を構成し得る。
【０１６５】
本発明の課題は、ケラチン物質、特に顔又はからだの皮膚、爪、毛髪、及び／又は睫を処置する化粧方法であって、上で定義された化粧料組成物の該物質への施与を含む方法でもある。
【０１６６】
下に示される実施例及び図は、発明の分野の非制限的な例として示される。
【０１６７】
図１：種々の顔料含有量における、カプセル化されていないＤＣレッド７及び本発明に従ってカプセル化されたＤＣレッド７の色の相違
【０１６８】
実施例１：
ポリマーマトリックスの重量に対して５７．５重量％のＤ＆ＣレッドＮｏ．７を含むマイクロカプセルの合成
２０ｇのカプセル化されるべきＤ＆ＣレッドＮｏ．７（ＬＣＷ）が分散されている２４ｇの４，４´−ジフェニルメタンジイソシアネート（すなわちＭＤＩ）、及び４５ｇのイソドデカンからなる有機相、及び８ｇのエチレングリコール、２．８ｇのトリメチロールプロパン、及び１．７ｇのドデシル硫酸ナトリウム（すなわちＳＤＳ）が溶解されている８００ｇの水からなる連続水性相を含む水中油型エマルジョンが製造される。
【０１６９】
９８％加水分解されたＰＶＡポリビニルアルコールタイプの保護コロイド（ＭＷ＝１３０００〜２３０００）が所望される粒子サイズに従って水性相に対して５重量％の割合まで添加され得る。
【０１７０】
乳化は、Ｕｌｔｒａ−Ｔｕｒｒａｘ（商標）ブレンダー（６０００ｒｐｍ〜２７０００ｒｐｍ）又はソニケーター（１０〜９０％の振幅）を使用して高剪断において行われる。
【０１７１】
重合は、２−エチルヘキサン酸スズ（触媒）の存在下又は不存在下で６３℃において４時間、その後１５時間室温において行われる。
【０１７２】
反応の終わりに、粉末が濾過又は遠心分離により回収される。
【０１７３】
実施例２：ポリマーマトリックスの重量に対して１重量％のＤ＆ＣレッドＮｏ．７を含むマイクロカプセルの合成
０．１８ｇのＤ＆ＣレッドＮｏ．７及び２．８ｇのイソドデカンが分散されている１２ｇの４，４´−ジフェニルメタンジイソシアネートからなる有機相、及び５％の９８％鹸化ＰＶＡ（分子量＝１３０００〜２３０００）及び０．８４ｇのプルロニックＦ６８（商標）が溶解されている４００ｇの水からなる連続水性相を含む水中油型エマルジョンが製造される。Ｕｌｔｒａ−Ｔｕｒｒａｘブレンダー（１３５００ｒｐｍ）で４０分間乳化した後、４ｇのジエチレングリコール及び１．３８ｇのトリメチロールプロパンが導入される。
【０１７４】
重合は６３℃において４時間行われ、その後室温において１５時間行われる。
【０１７５】
反応の終わりに、粉末が遠心分離により回収される（３０分間４０００ｒｐｍ）。
【０１７６】
得られたマイクロカプセルは走査電子顕微鏡による観察によりリザーバータイプであるとみなされる。
【０１７７】
実施例３：ポリマーマトリックスの重量に対して３重量％のＤ＆ＣレッドＮｏ．７を含むマイクロカプセルの合成
合成のプロトコルは、（０．１８ｇの代わりに）０．５２ｇのＤ＆ＣレッドＮｏ．７を使用して、実施例２に記載されたものと同じである。
【０１７８】
実施例４：ポリマーマトリックスの重量に対して７重量％のＤ＆ＣレッドＮｏ．７を含むマイクロカプセルの合成
合成のプロトコルは、（０．１８ｇの代わりに）１．２２ｇのＤ＆ＣレッドＮｏ．７を使用して、実施例２に記載されたものと同じである。
【０１７９】
実施例５：ポリマーマトリックスの重量に対して５７重量％のＤ＆ＣレッドＮｏ．７を含むマイクロカプセルの合成
２０ｇのＤ＆ＣレッドＮｏ．７及び２４５．４ｇのパールリーム（商標）が分散されている２４ｇの４，４´−ジフェニルメタンジイソシアネートからなる有機相、及び５％の９８％鹸化ＰＶＡ（Ｍｗ＝１３０００〜２３０００）が溶解されている８００ｇの水からなる連続水性相を含む水中油型エマルジョンが製造される。Ｕｌｔｒａ−Ｔｕｒｒａｘブレンダー（１３５００ｒｐｍ）を使用して４０分間乳化した後、８ｇのエチレングリコール、及び２．７６ｇのトリメチロールプロパンが導入される。
【０１８０】
重合は６３℃において４時間行われ、その後室温において１５時間行われる。
【０１８１】
反応の終わりに、粉末が遠心分離により回収される（３０分間４０００ｒｐｍ）。
【０１８２】
得られたマイクロカプセルは走査電子顕微鏡による観察によりリザーバータイプであるとみなされる。
【０１８３】
実施例６：ポリマーマトリックスの重量に対して３０重量％のイエローＮｏ．６アルミニウムレーキを含むマイクロカプセルの合成
合成プロトコルは、実施例２に記載されたものと同じであり、（０．１８ｇのＤ＆ＣレッドＮｏ．７の代わりに）７．８７ｇのイエローＮｏ．６アルミニウムレーキ（サンケミカル）及び２．４ｇの安息香酸アルキルエステルを使用し、ＭＤＩ／安息香酸アルキルエステル質量比＝５を達成する。
【０１８４】
得られたマイクロカプセルは、走査電子顕微鏡による観察によりリザーバータイプであるとみなされる。
【０１８５】
実施例７：ポリマーマトリックスの重量に対して３０重量％のイエローＮｏ．６アルミニウムレーキを含むマイクロカプセルの合成
合成プロトコルは、実施例２に記載されたものと同じであり、（０．１８ｇのＤ＆ＣレッドＮｏ．７の代わりに）７．８７ｇのイエローＮｏ．６アルミニウムレーキ（サンケミカル）及び１２ｇの安息香酸アルキルエステルを使用する（ＭＤＩ／  安息香酸アルキルエステル質量比＝１を達成する）。
【０１８６】
得られたマイクロカプセルは、走査電子顕微鏡による観察によりリザーバータイプであるとみなされる。
【０１８７】
実施例８：カプセル化された顔料の重量含有量に応じた顔料の色の修飾
下の表１に示された種々の重量含有量の顔料を使用して行われた、ポリウレタン／ポリウレアタイプのポリマーマトリックス中の顔料Ｄ＆ＣレッドＮｏ．７のカプセル化は、最初の顔料の色とは異なり、カプセル化された顔料の含有量に従って変化する色の入手をもたらす。
【０１８８】
色の測定は、ｈ×ｌ×ｗ＝０．３×２．５×２．２の寸法を有し、ガラススライドで覆われた窪みの中で１００バールにおいて圧縮された１．２５ｇの粉末上で行われる。
【０１８９】
色のデータは、ミノルタ分光比色計（Ｄ６５／１０°小さなアパーチャー正反射除去）での反射において得られる。
【０１９０】
下の表１は、ポリウレタン／ポリウレアタイプのマイクロカプセルにおけるカプセル化の程度に従うＤ＆ＣレッドＮｏ．７の色座標（colorimetric coordinate）を示す。
【０１９１】
【表１】
0005138958.tif 000002
【０１９２】
図１は得られた値のグラフである。
【０１９３】
結果は、本発明に従うカプセル化は、元の顔料、すなわちそのカプセル化されていない形の顔料に比べて色の範囲をかなり広げることを可能にすることを示す。
【０１９４】
実施例９：純粋なＤ＆ＣレッドＮｏ．７及び５％カプセル化されたＤ＆ＣレッドＮｏ．７の流れの比較
（本発明に従って）カプセル化された形Ｄ＆ＣレッドＮｏ．７又はカプセル化されていない形のＤ＆ＣレッドＮｏ．７（対照）が、１％のポリソルベート（１６８６Ｍ）を含む水に入れられ、次に溶液が３０００ｒｐｍで３０分間遠心分離される。
【０１９５】
次に流れた物質の吸収値が５３５ｎｍの値における光学密度を測定することにより各溶液（対照及び本発明）のそれぞれについて測定される。必要であれば、流れた物質は０〜１の吸収値が得られるまで希釈される。
【０１９６】
流れは光学密度の値に対応する。
【０１９７】
下の表２は得られた値を示す。
【０１９８】
【表２】
0005138958.tif 000003
【０１９９】
カプセル化はかなり流れを低下させることがわかる。
【０２００】
【表３】
0005138958.tif 000004
【図面の簡単な説明】
【０２０１】
【図１】顔料の種々の含有量における、カプセル化されていないＤＣレッド７及び本発明に従ってカプセル化されたＤＣレッド７の色の相違
【図１】
0005138958.tif 000005